(57)【要約】【課題】容易に他の発光装置および外部電源に対して電気的に接続することが可能な発光装置を提供する。【解決手段】発光装置１０は発光素子１００と駆動回路２００を備える。発光装置１０は平面視多角形状であり、互いに対向する第１辺および第２辺と、互いに対向する第３辺および第４辺を有する。駆動回路２００は、陽極配線２１と、陰極配線２２と、発光素子１００に電気的に接続されていない第１接続配線３１および第２接続配線３２を有する。第１接続配線３１は、第１辺１１の近傍に配置された第１接続端子６１と、第２辺１２の近傍に配置された第２接続端子６２と、を相互に電気的に接続する。第２接続配線３２は、第３辺１３の近傍に配置された第３接続端子６３と、第４辺１４の近傍に配置された第４接続端子６４と、を相互に電気的に接続する。【選択図】図１
2014203573.tif 000002
【特許請求の範囲】
【請求項１】
発光装置であって、
発光素子と、
前記発光素子の一方の面に設けられ、前記発光素子に電流を供給する駆動回路と、
を備え、
当該発光装置は、平面視多角形状であり、且つ、互いに対向する第１辺および第２辺と、互いに対向する第３辺および第４辺とを有し、
前記駆動回路は、
前記第１辺の近傍に配置された第１入力側端子と前記発光素子の陽極とを相互に電気的に接続する陽極配線と、
前記第２辺の近傍に配置された第１出力側端子と前記発光素子の陰極とを相互に電気的に接続する陰極配線と、
前記発光素子に電気的に接続されていない第１接続配線および第２接続配線と、
を有し、
前記第１接続配線は、前記第１辺の近傍に配置された第１接続端子と、前記第２辺の近傍に配置された第２接続端子と、を相互に電気的に接続し、
前記第２接続配線は、前記第３辺の近傍に配置された第３接続端子と、前記第４辺の近傍に配置された第４接続端子と、を相互に電気的に接続する発光装置。
【請求項２】
前記陽極配線は、前記第１入力側端子と前記陽極とを相互に電気的に接続する第１陽極配線と、前記第３辺の近傍に配置された第２入力側端子と前記陽極とを相互に電気的に接続する第２陽極配線と、を含み、
前記陰極配線は、前記第１出力側端子と前記陰極とを相互に電気的に接続する第１陰極配線と、前記第４辺の近傍に配置された第２出力側端子と前記陰極とを相互に電気的に接続する第２陰極配線と、を含む請求項１に記載の発光装置。
【請求項３】
前記第１接続配線と前記第２接続配線とが相互に電気的に接続されている請求項２に記載の発光装置。
【請求項４】
前記第１接続配線は、前記第１接続端子と前記第２接続端子とを相互に電気的に接続する第１部分と、前記第３辺の近傍に配置された第５接続端子と前記第１部分とを相互に電気的に接続する第２部分と、を含み、
前記陰極配線は、前記第１出力側端子と前記陰極とを相互に電気的に接続する第１陰極配線と、前記第４辺の近傍に配置された第２出力側端子と前記陰極とを相互に電気的に接続する第２陰極配線と、を含む請求項１に記載の発光装置。
【請求項５】
前記陽極配線は、前記第１入力側端子と前記陽極とを相互に電気的に接続する第１陽極配線と、前記第３辺の近傍に配置された第２入力側端子と前記陽極とを相互に電気的に接続する第２陽極配線と、を含み、
前記第１接続配線は、前記第１接続端子と前記第２接続端子とを相互に電気的に接続する第１部分と、前記第４辺の近傍に配置された第５接続端子と前記第１部分とを相互に電気的に接続する第２部分と、を含む請求項１に記載の発光装置。
【請求項６】
前記第１接続配線と前記第２接続配線とが相互に電気的に接続されていない請求項４又は５に記載の発光装置。
【請求項７】
当該発光装置は平面視矩形状である請求項１〜６の何れか一項に記載の発光装置。
【発明の詳細な説明】
【技術分野】
【０００１】
本発明は、発光装置に関する。
【背景技術】
【０００２】
発光装置の１つに有機ＥＬ（Ｅｌｅｃｔｒｏ  Ｌｕｍｉｎｅｓｃｅｎｃｅ）素子からなる発光素子を有するタイプのものがある。この発光素子は電流駆動型素子であるため、この発光素子を有する発光装置は直列接続（いわゆるデイジーチェーン）などが可能である。
【０００３】
特許文献１には、複数のＬＥＤをループ状に直列に接続し、このうち先頭のＬＥＤのアノードを駆動回路（同文献のＬＥＤ駆動ユニット）の一方の端子に接続し、最後尾のＬＥＤのカソードを駆動回路の他方の端子に接続することが記載されている。
【先行技術文献】
【特許文献】
【０００４】
【特許文献１】特表２０１１−５２０２３１号公報
【発明の概要】
【発明が解決しようとする課題】
【０００５】
ところで、それぞれ有機ＥＬ素子からなる発光素子を有する発光装置を直列に直線状に接続する場合、隣り合う発光装置どうしは互いに距離が近いため容易に電気的に接続することができるが、両端（或いは少なくとも一端）の発光装置と外部電源との間は長尺な配線で接続する必要がある。この配線の長さは、接続する発光装置の数に応じて適切な長さにする必要がある。
【０００６】
本発明が解決しようとする課題としては、容易に他の発光装置および外部電源に対して電気的に接続することが可能な発光装置を提供することが一例として挙げられる。
【課題を解決するための手段】
【０００７】
請求項１に記載の発明は、
発光装置であって、
発光素子と、
前記発光素子の一方の面に設けられ、前記発光素子に電流を供給する駆動回路と、
を備え、
当該発光装置は、平面視多角形状であり、且つ、互いに対向する第１辺および第２辺と、互いに対向する第３辺および第４辺とを有し、
前記駆動回路は、
前記第１辺の近傍に配置された第１入力側端子と前記発光素子の陽極とを相互に電気的に接続する陽極配線と、
前記第２辺の近傍に配置された第１出力側端子と前記発光素子の陰極とを相互に電気的に接続する陰極配線と、
前記発光素子に電気的に接続されていない第１接続配線および第２接続配線と、
を有し、
前記第１接続配線は、前記第１辺の近傍に配置された第１接続端子と、前記第２辺の近傍に配置された第２接続端子と、を相互に電気的に接続し、
前記第２接続配線は、前記第３辺の近傍に配置された第３接続端子と、前記第４辺の近傍に配置された第４接続端子と、を相互に電気的に接続する発光装置である。
【図面の簡単な説明】
【０００８】
【図１】実施形態に係る発光装置の模式的な平面図である。
【図２】実施形態に係る発光装置の模式的な断面図である。
【図３】図３（ａ）は実施形態に係る発光装置が備える発光素子の模式的な断面図、図３（ｂ）は発光素子の等価的な回路図である。
【図４】実施形態に係る発光装置の第１接続例を示す模式的な平面図である。
【図５】実施形態に係る発光装置の第２接続例を示す模式的な平面図である。
【図６】実施形態に係る発光装置の第３接続例を示す模式的な平面図である。
【図７】有機機能層の層構造の第１例を示す断面図である。
【図８】有機機能層の層構造の第２例を示す断面図である。
【図９】実施例１に係る発光装置の模式的な平面図である。
【図１０】実施例１に係る発光装置の接続例を示す模式的な平面図である。
【図１１】実施例２に係る発光装置の模式的な平面図である。
【図１２】実施例２に係る発光装置の接続例を示す模式的な平面図である。
【発明を実施するための形態】
【０００９】
以下、実施の形態について、図面を用いて説明する。尚、すべての図面において、同様の構成要素には同一の符号を付し、適宜説明を省略する。
【００１０】
図１は実施形態に係る発光装置１０の模式的な平面図、図２は実施形態に係る発光装置１０の模式的な断面図である。この発光装置１０は、タイリング状に配置されるものである。発光装置１０は、例えばディスプレイ、照明装置、又は光通信装置の光源として用いることができる。
図３（ａ）は実施形態に係る発光装置１０が備える発光素子１００の模式的な断面図、図３（ｂ）は発光素子１００の等価的な回路図である。
以下においては、説明を簡単にするため、発光装置１０の各構成要素の位置関係（上下関係等）が各図に示す関係であるものとして説明を行う。ただし、この説明における位置関係は、発光装置１０の使用時の位置関係とは無関係である。
【００１１】
本実施形態に係る発光装置１０は、発光素子１００と、発光素子１００の一方の面に設けられ、発光素子１００に電流を供給する駆動回路２００と、を備える。発光装置１０は、平面視多角形状であり、且つ、互いに対向する第１辺１１および第２辺１２と、互いに対向する第３辺１３および第４辺１４とを有する。駆動回路２００は、第１辺１１の近傍に配置された第１入力側端子４１と発光素子１００の陽極（例えば第１電極端子１３１（図３（ａ）））とを相互に電気的に接続する陽極配線２１を有する。駆動回路２００は、第２辺１２の近傍に配置された第１出力側端子５１と発光素子１００の陰極（例えば第２電極端子１５１（図３（ａ）））とを相互に電気的に接続する陰極配線２２を有する。駆動回路２００は、発光素子１００に電気的に接続されていない第１接続配線３１および第２接続配線３２を有する。第１接続配線３１は、第１辺１１の近傍に配置された第１接続端子６１と、第２辺１２の近傍に配置された第２接続端子６２と、を相互に電気的に接続する。第２接続配線３２は、第３辺１３の近傍に配置された第３接続端子６３と、第４辺１４の近傍に配置された第４接続端子６４と、を相互に電気的に接続する。
【００１２】
陽極配線２１は、第１入力側端子４１と陽極（例えば第１電極端子１３１（図３（ａ）））とを相互に電気的に接続する第１陽極配線２１ａと、第３辺１３の近傍に配置された第２入力側端子４２と陽極とを相互に電気的に接続する第２陽極配線２１ｂと、を含む。陰極配線２２は、第１出力側端子５１と陰極（例えば第２電極端子１５１（図３（ａ）））とを相互に電気的に接続する第１陰極配線２２ａと、第４辺１４の近傍に配置された第２出力側端子５２と陰極とを相互に電気的に接続する第２陰極配線２２ｂと、を含む。
【００１３】
このように、第１辺１１の近傍には、第１入力側端子４１と第１接続端子６１とを含む第１端子部７１が配置されている。また、第２辺１２の近傍には、第１出力側端子５１と第２接続端子６２とを含む第２端子部７２が配置されている。また、第３辺１３の近傍には、第２入力側端子４２と第３接続端子６３とを含む第３端子部７３が配置されている。また、第４辺１４の近傍には、第２出力側端子５２と第４接続端子６４とを含む第４端子部７４が配置されている。
【００１４】
更に、第１接続配線３１と第２接続配線３２とが相互に電気的に接続されている。  
【００１５】
発光装置１０は、例えば、平面視矩形状である。より具体的には、発光装置１０は、例えば、平面視正方形状である。
【００１６】
発光素子１００は、例えば、有機ＥＬ素子を含んで構成されている。
【００１７】
図３（ａ）に示すように、発光素子１００は、第１電極１３０と、第２電極１５０と、有機機能層１４０と、基板（例えば透光性基板１１０）と、を備えている。透光性基板１１０の一方の面側に第１電極１３０が配置されている。例えば、第１電極１３０を基準として透光性基板１１０側とは反対側に第２電極１５０が配置されている。第１電極１３０と第２電極１５０とは、有機機能層１４０を間に挟んで相互に対向している。
【００１８】
透光性基板１１０は、ガラスや樹脂などの透光性を有する材料からなる板状部材である。なお、透光性基板１１０は、透光性のフィルムであっても良い。透光性基板１１０の上面、すなわち透光性基板１１０における有機機能層１４０側とは反対側の面は、例えば、平坦な光取り出し面となっている。この光取り出し面は、光放出空間を充たす空気（屈折率１）と接している。なお、透光性基板１１０の上面には、光取り出しフィルムが貼り付けられており、この光取り出しフィルムの上面が、光取り出し面を構成していても良い。
【００１９】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。
【００２０】
有機機能層１４０は、発光層を含んでいる。
【００２１】
第２電極１５０は、例えば、Ａｇ、Ａｕ又はＡｌなどの金属膜からなる反射電極である。第２電極１５０は、有機機能層１４０から第２電極１５０側に向かう光を、透光性基板１１０側に向けて反射する。
【００２２】
第１電極１３０と第２電極１５０との間に電圧が印加されることにより、有機機能層１４０に電流が流れて、該有機機能層１４０の発光層が発光する。第１電極１３０、透光性基板１１０、及び、有機機能層１４０は、いずれも、有機機能層１４０の発光層が発光した光の少なくとも一部を透過する。発光層が発光した光の一部は、透光性基板１１０の光取り出し面から、発光素子１００の外部（つまり上記光放出空間）に放射される（取り出される）。
【００２３】
ここで、第１電極１３０、有機機能層１４０および第２電極１５０が互いに重なり合っている領域が発光部１９０である。第１電極１３０と第２電極１５０との間に電圧が印加されることにより、発光部の発光層が発光する。発光部１９０の外形線は、平面視において、透光性基板１１０の外形線よりも内側に位置している（平面図示略）。
【００２４】
例えば、透光性基板１１０の一方の面（図３（ａ）における上面）と第１電極１３０の一方の面（図３（ａ）における下面）とが相互に接している。また、第１電極１３０の他方の面（図３（ａ）における上面）と有機機能層１４０の一方の面（図３（ａ）における下面）とが相互に接している。また、有機機能層１４０の他方の面（図３（ａ）における上面）と第２電極１５０の一方の面（図３（ａ）における下面）とが相互に接している。ただし、透光性基板１１０と第１の電極１３０との間には他の層が存在していても良い。同様に、第１電極１３０と有機機能層１４０との間には他の層が存在していても良い。同様に、有機機能層１４０と第２電極１５０との間には他の層が存在していても良い。
【００２５】
図３（ａ）に示すように、第１電極１３０の一部分は、例えば、発光部１９０から透光性基板１１０の一端側（例えば図３（ａ）における左側）へ延び、第１電極端子１３１を構成している。また、第２電極１５０の一部分は、例えば、発光部１９０から透光性基板１１０の他端側（例えば図３（ａ）における右側）へ延び、第２電極端子１５１を構成している。
【００２６】
例えば、第１電極１３０と第２電極１５０とのうち、第１電極１３０が陽極（アノード）を構成し、第２電極１５０が陰極（カソード）を構成する。
【００２７】
図３（ｂ）に示すように、発光素子１００は、等価的に、ダイオードとみなすことができる。このダイオードの陽極端子は、例えば第１電極端子１３１であり、このダイオードの陰極端子は、例えば第２電極端子１５１である。
【００２８】
次に、複数の発光装置１０を接続する方法の例を説明する。
【００２９】
＜第１接続例＞  
図４は実施形態に係る発光装置１０の第１接続例を示す模式的な平面図である。なお、図４の紙面において、左右方向（横方向）に直交する方向（縦方向）のうち、外部電源３００に近い側を便宜的に上と称し、外部電源３００から遠い側を便宜的に下と称する。
【００３０】
本接続例では、９つの発光装置１０を３行３列のマトリクス状に配置する。これら９つの発光装置１０は、電気的に直列に接続する。
【００３１】
以下の説明では、これら９つの発光装置１０を、電流の経路順に、それぞれ発光装置１０ａ、１０ｂ、１０ｃ、１０ｄ、１０ｅ、１０ｆ、１０ｇ、１０ｈ、１０ｉと称する。
【００３２】
外部電源３００は２つの端子（図示略）を備えている。このうち一方の端子は、電流供給配線１に接続され、他方の端子は電流戻り配線２に接続されている。
【００３３】
発光装置１０ａは、外部電源３００の下側に位置し、その第１端子部７１（図１）が上側、第２端子部７２（図１）が下側となるように配置されている。
電流供給配線１および電流戻り配線２は、発光装置１０ａの第１端子部７１に対して接続部ＣＰ１にて電気的に接続されている。
すなわち、電流供給配線１は発光装置１０ａの第１入力側端子４１（図１）に接続され、電流戻り配線２は発光装置１０ａの第１接続端子６１（図１）に接続されている。
【００３４】
発光装置１０ｂは、発光装置１０ａの下側に配置され、且つ、発光装置１０ａと同じ向きに配置されている。
発光装置１０ａの第２端子部７２（図１）と発光装置１０ｂの第１端子部７１（図１）とは接続部ＣＰ２にて相互に電気的に接続されている。
すなわち、発光装置１０ａの第１出力側端子５１（図１）と発光装置１０ｂの第１入力側端子４１（図１）とが接続用の導体（以下、接続導体３）を介して相互に電気的に接続されている。また、発光装置１０ａの第２接続端子６２（図１）と発光装置１０ｂの第１接続端子６１（図１）とが接続導体３を介して相互に電気的に接続されている。
なお、接続導体３は、例えば、基板間コネクタまたはケーブル付きコネクタなどと呼ばれるものである。
【００３５】
発光装置１０ｃは、発光装置１０ｂの下側に配置され、且つ、発光装置１０ｂと同じ向きに配置されている。
発光装置１０ｂの第２端子部７２（図１）と発光装置１０ｃの第１端子部７１（図１）とは接続部ＣＰ３にて相互に電気的に接続されている。
すなわち、発光装置１０ｂの第１出力側端子５１（図１）と発光装置１０ｃの第１入力側端子４１（図１）とが接続導体３を介して相互に電気的に接続され、発光装置１０ｂの第２接続端子６２（図１）と発光装置１０ｃの第１接続端子６１（図１）とが接続導体３を介して相互に電気的に接続されている。
【００３６】
発光装置１０ｄは、発光装置１０ｃの左側に配置され、且つ、発光装置１０ｃを時計回りに９０度回転させた向きに配置されている。
発光装置１０ｃの第４端子部７４（図１）と発光装置１０ｄの第１端子部７１（図１）とは接続部ＣＰ４にて相互に電気的に接続されている。
すなわち、発光装置１０ｃの第２出力側端子５２（図１）と発光装置１０ｄの第１入力側端子４１（図１）とが接続導体３を介して相互に電気的に接続されている。また、発光装置１０ｃの第４接続端子６４（図１）と発光装置１０ｄの第１接続端子６１（図１）とが接続導体３を介して相互に電気的に接続されている。
【００３７】
発光装置１０ｅは、発光装置１０ｄの上側に配置され、且つ、発光装置１０ｄを時計回りに９０度回転させた向きに配置されている。
発光装置１０ｄの第４端子部７４（図１）と発光装置１０ｅの第１端子部７１（図１）とは接続部ＣＰ５にて相互に電気的に接続されている。
すなわち、発光装置１０ｄの第２出力側端子５２（図１）と発光装置１０ｅの第１入力側端子４１（図１）とが接続導体３を介して相互に電気的に接続されている。また、発光装置１０ｄの第４接続端子６４（図１）と発光装置１０ｅの第１接続端子６１（図１）とが接続導体３を介して相互に電気的に接続されている。
【００３８】
発光装置１０ｆは、発光装置１０ｅの上側に配置され、且つ、発光装置１０ｅを反時計回りに９０度回転させた向きに配置されている。
発光装置１０ｅの第２端子部７２（図１）と発光装置１０ｆの第３端子部７３（図１）とは接続部ＣＰ６にて相互に電気的に接続されている。
すなわち、発光装置１０ｅの第１出力側端子５１（図１）と発光装置１０ｆの第２入力側端子４２（図１）とが接続導体３を介して相互に電気的に接続されている。また、発光装置１０ｅの第２接続端子６２（図１）と発光装置１０ｆの第３接続端子６３（図１）とが接続導体３を介して相互に電気的に接続されている。
【００３９】
発光装置１０ｇは、発光装置１０ｆの左側に配置され、且つ、発光装置１０ｆを反時計回りに９０度回転させた向きに配置されている。
発光装置１０ｆの第２端子部７２（図１）と発光装置１０ｇの第３端子部７３（図１）とは接続部ＣＰ７にて相互に電気的に接続されている。
すなわち、発光装置１０ｆの第１出力側端子５１（図１）と発光装置１０ｇの第２入力側端子４２（図１）とが接続導体３を介して相互に電気的に接続されている。また、発光装置１０ｆの第２接続端子６２（図１）と発光装置１０ｇの第３接続端子６３（図１）とが接続導体３を介して相互に電気的に接続されている。
【００４０】
発光装置１０ｈは、発光装置１０ｇの下側に配置され、且つ、発光装置１０ｇと同じ向きに配置されている。
発光装置１０ｇの第２端子部７２（図１）と発光装置１０ｈの第１端子部７１（図１）とは接続部ＣＰ８にて相互に電気的に接続されている。
すなわち、発光装置１０ｇの第１出力側端子５１（図１）と発光装置１０ｈの第１入力側端子４１（図１）とが接続導体３を介して相互に電気的に接続され、発光装置１０ｇの第２接続端子６２（図１）と発光装置１０ｈの第１接続端子６１（図１）とが接続導体３を介して相互に電気的に接続されている。
【００４１】
発光装置１０ｉは、発光装置１０ｈの下側に配置され、且つ、発光装置１０ｈと同じ向きに配置されている。
発光装置１０ｈの第２端子部７２（図１）と発光装置１０ｉの第１端子部７１（図１）とは接続部ＣＰ９にて相互に電気的に接続されている。
すなわち、発光装置１０ｈの第１出力側端子５１（図１）と発光装置１０ｉの第１入力側端子４１（図１）とが接続導体３を介して相互に電気的に接続され、発光装置１０ｈの第２接続端子６２（図１）と発光装置１０ｉの第１接続端子６１（図１）とが接続導体３を介して相互に電気的に接続されている。
【００４２】
更に、発光装置１０ｉの第２端子部７２（図１）の第１出力側端子５１（図１）と第２接続端子６２（図１）とは短絡部ＳＰ１にて短絡用の導体（以下、短絡導体４）を介して短絡されている。短絡導体４は、接続導体３と同様のものである。
【００４３】
こうして、各発光装置１０ａ〜１０ｉの発光素子１００が直列に且つループ状に接続されている。また、各発光装置１０ａ〜１０ｉの第１接続配線３１と第２接続配線３２とのうちの少なくとも何れか一方により、電流を外部電源３００へ戻すための戻り配線が構成されている。よって、外部電源３００から供給される電流により、各発光装置１０ａ〜１０ｉの発光素子１００を一括して発光させることができる。
【００４４】
本接続例の場合、各接続部ＣＰ２〜ＣＰ９における電気的接続は、基板間コネクタ、または基板間コネクタと同じ長さのケーブル付きコネクタからなる接続導体３により容易に実現することができる。また、短絡部ＳＰ１でも各接続部ＣＰ２〜ＣＰ９におけるのと同等の長さの基板間コネクタまたはケーブル付きコネクタを用いて容易に短絡を行うことができる。また、結線のない接続部ＯＰ１〜ＯＰ４においても無結線の基板間コネクタなどで隣り合う発光装置１０どうしを接続することにより、各発光装置１０どうしの結合を強めることができる。よって、接続する発光装置１０の数やサイズに応じて長さが異なる配線を用意する必要がなくなるので、発光装置１０の設置が容易になる。
【００４５】
＜第２接続例＞
図５は実施形態に係る発光装置１０の第２接続例を示す模式的な平面図である。
【００４６】
本接続例では、６つの発光装置１０をジグザグ状（クランク状）に配置する。これら６つの発光装置１０は、電気的に直列に接続する。
【００４７】
以下の説明では、これら６つの発光装置１０を、電流の経路順に、それぞれ発光装置１０ａ、１０ｂ、１０ｃ、１０ｄ、１０ｅ、１０ｆと称する。
【００４８】
発光装置１０ａは、外部電源３００の左側に位置し、その第１端子部７１（図１）が右側、第２端子部７２（図１）が左側となるように配置されている。なお、本接続例の説明では、発光装置１０ａの第４端子部７４（図１）の側を上、第３端子部７３（図１）の側を下と称する。
電流供給配線１および電流戻り配線２は、発光装置１０ａの第１端子部７１に対して接続部ＣＰ１にて電気的に接続されている。
すなわち、電流供給配線１は発光装置１０ａの第１入力側端子４１（図１）に接続され、電流戻り配線２は発光装置１０ａの第１接続端子６１（図１）に接続されている。
【００４９】
発光装置１０ｂは、発光装置１０ａの左側に配置され、且つ、発光装置１０ａと同じ向きに配置されている。
発光装置１０ａの第２端子部７２（図１）と発光装置１０ｂの第１端子部７１（図１）とは接続部ＣＰ２にて相互に電気的に接続されている。
すなわち、発光装置１０ａの第１出力側端子５１（図１）と発光装置１０ｂの第１入力側端子４１（図１）とが接続導体３を介して相互に電気的に接続され、発光装置１０ａの第２接続端子６２（図１）と発光装置１０ｂの第１接続端子６１（図１）とが接続導体３を介して相互に電気的に接続されている。
【００５０】
発光装置１０ｃは、発光装置１０ｂの上側に配置され、且つ、発光装置１０ｂと同じ向きに配置されている。
発光装置１０ｂの第４端子部７４（図１）と発光装置１０ｃの第３端子部７３（図１）とは接続部ＣＰ３にて相互に電気的に接続されている。
すなわち、発光装置１０ｂの第２出力側端子５２（図１）と発光装置１０ｃの第２入力側端子４２（図１）とが接続導体３を介して相互に電気的に接続されている。また、発光装置１０ｂの第４接続端子６４（図１）と発光装置１０ｃの第３接続端子６３（図１）とが接続導体３を介して相互に電気的に接続されている。
【００５１】
発光装置１０ｄは、発光装置１０ｃの左側に配置され、且つ、発光装置１０ｃと同じ向きに配置されている。
発光装置１０ｃの第２端子部７２（図１）と発光装置１０ｄの第１端子部７１（図１）とは接続部ＣＰ４にて相互に電気的に接続されている。
すなわち、発光装置１０ｃの第１出力側端子５１（図１）と発光装置１０ｄの第１入力側端子４１（図１）とが接続導体３を介して相互に電気的に接続され、発光装置１０ｃの第２接続端子６２（図１）と発光装置１０ｄの第１接続端子６１（図１）とが接続導体３を介して相互に電気的に接続されている。
【００５２】
発光装置１０ｅは、発光装置１０ｄの上側に配置され、且つ、発光装置１０ｄと同じ向きに配置されている。
発光装置１０ｄの第４端子部７４（図１）と発光装置１０ｅの第３端子部７３（図１）とは接続部ＣＰ５にて相互に電気的に接続されている。
すなわち、発光装置１０ｄの第２出力側端子５２（図１）と発光装置１０ｅの第２入力側端子４２（図１）とが接続導体３を介して相互に電気的に接続されている。また、発光装置１０ｄの第４接続端子６４（図１）と発光装置１０ｅの第３接続端子６３（図１）とが接続導体３を介して相互に電気的に接続されている。
【００５３】
発光装置１０ｆは、発光装置１０ｅの左側に配置され、且つ、発光装置１０ｅと同じ向きに配置されている。
発光装置１０ｅの第２端子部７２（図１）と発光装置１０ｆの第１端子部７１（図１）とは接続部ＣＰ６にて相互に電気的に接続されている。
すなわち、発光装置１０ｅの第１出力側端子５１（図１）と発光装置１０ｆの第１入力側端子４１（図１）とが接続導体３を介して相互に電気的に接続され、発光装置１０ｅの第２接続端子６２（図１）と発光装置１０ｆの第１接続端子６１（図１）とが接続導体３を介して相互に電気的に接続されている。
【００５４】
更に、発光装置１０ｆの第２端子部７２（図１）の第１出力側端子５１（図１）と第２接続端子６２（図１）とは短絡部ＳＰ１にて短絡導体４を介して短絡されている。
【００５５】
こうして、各発光装置１０ａ〜１０ｆの発光素子１００が直列に且つループ状に接続されている。また、各発光装置１０ａ〜１０ｆの第１接続配線３１と第２接続配線３２とのうちの少なくとも何れか一方により、電流を外部電源３００へ戻すための戻り配線が構成されている。よって、外部電源３００から供給される電流により、各発光装置１０ａ〜１０ｆの発光素子１００を一括して発光させることができる。
【００５６】
本接続例の場合も、上記の第１接続例の場合と同様の効果が得られる。
【００５７】
＜第３接続例＞
図６は実施形態に係る発光装置１０の第３接続例を示す模式的な平面図である。なお、図６において、左右方向に直交する方向のうち、外部電源３００に近い側を便宜的に上と称し、外部電源３００から遠い側を便宜的に下と称する。
【００５８】
本接続例では、８つの発光装置１０を矩形の環状に配置する。これら８つの発光装置１０は、電気的に直列に接続する。
【００５９】
以下の説明では、これら８つの発光装置１０を、電流の経路順に、それぞれ発光装置１０ａ、１０ｂ、１０ｃ、１０ｄ、１０ｅ、１０ｆ、１０ｇ、１０ｈと称する。
【００６０】
発光装置１０ａは、外部電源３００の下側に位置し、その第１端子部７１（図１）が上側、第２端子部７２（図１）が下側となるように配置されている。
電流供給配線１および電流戻り配線２は、発光装置１０ａの第１端子部７１に対して接続部ＣＰ１にて電気的に接続されている。
すなわち、電流供給配線１は発光装置１０ａの第１入力側端子４１（図１）に接続され、電流戻り配線２は発光装置１０ａの第１接続端子６１（図１）に接続されている。
【００６１】
発光装置１０ｂは、発光装置１０ａの下側に配置され、且つ、発光装置１０ａと同じ向きに配置されている。
発光装置１０ａの第２端子部７２（図１）と発光装置１０ｂの第１端子部７１（図１）とは接続部ＣＰ２にて相互に電気的に接続されている。
すなわち、発光装置１０ａの第１出力側端子５１（図１）と発光装置１０ｂの第１入力側端子４１（図１）とが接続導体３を介して相互に電気的に接続され、発光装置１０ａの第２接続端子６２（図１）と発光装置１０ｂの第１接続端子６１（図１）とが接続導体３を介して相互に電気的に接続されている。
【００６２】
発光装置１０ｃは、発光装置１０ｂの下側に配置され、且つ、発光装置１０ｂと同じ向きに配置されている。
発光装置１０ｂの第２端子部７２（図１）と発光装置１０ｃの第１端子部７１（図１）とは接続部ＣＰ３にて相互に電気的に接続されている。
すなわち、発光装置１０ｂの第１出力側端子５１（図１）と発光装置１０ｃの第１入力側端子４１（図１）とが接続導体３を介して相互に電気的に接続され、発光装置１０ｂの第２接続端子６２（図１）と発光装置１０ｃの第１接続端子６１（図１）とが接続導体３を介して相互に電気的に接続されている。
【００６３】
発光装置１０ｄは、発光装置１０ｃの左側に配置され、且つ、発光装置１０ｃを時計回りに９０度回転させた向きに配置されている。
発光装置１０ｃの第４端子部７４（図１）と発光装置１０ｄの第１端子部７１（図１）とは接続部ＣＰ４にて相互に電気的に接続されている。
すなわち、発光装置１０ｃの第２出力側端子５２（図１）と発光装置１０ｄの第１入力側端子４１（図１）とが接続導体３を介して相互に電気的に接続されている。また、発光装置１０ｃの第４接続端子６４（図１）と発光装置１０ｄの第１接続端子６１（図１）とが接続導体３を介して相互に電気的に接続されている。
【００６４】
発光装置１０ｅは、発光装置１０ｄの左側に配置され、且つ、発光装置１０ｄと同じ向きに配置されている。
発光装置１０ｄの第２端子部７２（図１）と発光装置１０ｅの第１端子部７１（図１）とは接続部ＣＰ５にて相互に電気的に接続されている。
すなわち、発光装置１０ｄの第１出力側端子５１（図１）と発光装置１０ｅの第１入力側端子４１（図１）とが接続導体３を介して相互に電気的に接続され、発光装置１０ｄの第２接続端子６２（図１）と発光装置１０ｅの第１接続端子６１（図１）とが接続導体３を介して相互に電気的に接続されている。
【００６５】
発光装置１０ｆは、発光装置１０ｅの上側に配置され、且つ、発光装置１０ｅを時計回りに９０度回転させた向きに配置されている。
発光装置１０ｅの第４端子部７４（図１）と発光装置１０ｆの第１端子部７１（図１）とは接続部ＣＰ６にて相互に電気的に接続されている。
すなわち、発光装置１０ｅの第２出力側端子５２（図１）と発光装置１０ｆの第１入力側端子４１（図１）とが接続導体３を介して相互に電気的に接続されている。また、発光装置１０ｅの第４接続端子６４（図１）と発光装置１０ｆの第１接続端子６１（図１）とが接続導体３を介して相互に電気的に接続されている。
【００６６】
発光装置１０ｇは、発光装置１０ｆの上側に配置され、且つ、発光装置１０ｇと同じ向きに配置されている。
発光装置１０ｆの第２端子部７２（図１）と発光装置１０ｇの第１端子部７１（図１）とは接続部ＣＰ７にて相互に電気的に接続されている。
すなわち、発光装置１０ｆの第１出力側端子５１（図１）と発光装置１０ｇの第１入力側端子４１（図１）とが接続導体３を介して相互に電気的に接続され、発光装置１０ｆの第２接続端子６２（図１）と発光装置１０ｇの第１接続端子６１（図１）とが接続導体３を介して相互に電気的に接続されている。
【００６７】
発光装置１０ｈは、発光装置１０ｇの右側に配置され、且つ、発光装置１０ｇを時計回りに９０度回転させた向きに配置されている。
発光装置１０ｇの第４端子部７４（図１）と発光装置１０ｈの第１端子部７１（図１）とは接続部ＣＰ８にて相互に電気的に接続されている。
すなわち、発光装置１０ｇの第２出力側端子５２（図１）と発光装置１０ｈの第１入力側端子４１（図１）とが接続導体３を介して相互に電気的に接続されている。また、発光装置１０ｇの第４接続端子６４（図１）と発光装置１０ｈの第１接続端子６１（図１）とが接続導体３を介して相互に電気的に接続されている。
【００６８】
更に、発光装置１０ｈの第４端子部７４（図１）の第２出力側端子５２（図１）と第４接続端子６４（図１）とは短絡部ＳＰ１にて短絡導体４を介して短絡されている。
【００６９】
こうして、各発光装置１０ａ〜１０ｈの発光素子１００が直列に且つループ状に接続されている。また、各発光装置１０ａ〜１０ｈの第１接続配線３１と第２接続配線３２とのうちの少なくとも何れか一方により、電流を外部電源３００へ戻すための戻り配線が構成されている。よって、外部電源３００から供給される電流により、各発光装置１０ａ〜１０ｈの発光素子１００を一括して発光させることができる。
【００７０】
上記の第１〜第３接続例にて説明したように、本実施形態に係る発光装置１０を用いることにより、外部電源３００と発光装置１０ａとを接続する配線（電流供給配線１および電流戻り配線２）と基板間コネクタまたはケーブル付きコネクタなどがあれば、発光装置１０の枚数にかかわらず、複数の発光装置１０を直列に接続することができる。よって、発光装置１０の設置の自由度が向上する。
【００７１】
次に、有機機能層１４０の層構造の例について説明する。
【００７２】
図７は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００７３】
図７の例において、発光層１４３は、例えば赤色の光を発光する層、青色の光を発光する層、又は緑色の光を発光する層である。この場合、例えば、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光素子は白色等の単一の発光色で発光する。
【００７４】
なお、発光層１４３は、複数の色を発光するための材料を混ぜることにより、白色等の単一の発光色で発光するように構成されていても良い。
【００７５】
図８は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光素子は白色等の単一の発光色で発光する。
【００７６】
以上、本実施形態によれば、発光装置１０は、発光素子１００と、発光素子１００の一方の面に設けられ、発光素子１００に電流を供給する駆動回路２００と、を備える。発光装置１０は、平面視多角形状であり、且つ、互いに対向する第１辺１１および第２辺１２と、互いに対向する第３辺１３および第４辺１４とを有する。駆動回路２００は、第１辺１１の近傍に配置された第１入力側端子４１と発光素子１００の陽極（例えば第１電極端子１３１）とを相互に電気的に接続する陽極配線２１を有する。駆動回路２００は、第２辺１２の近傍に配置された第１出力側端子５１と発光素子１００の陰極（例えば第２電極端子１５１）とを相互に電気的に接続する陰極配線２２を有する。駆動回路２００は、発光素子１００に電気的に接続されていない第１接続配線３１および第２接続配線３２を有する。第１接続配線３１は、第１辺１１の近傍に配置された第１接続端子６１と、第２辺１２の近傍に配置された第２接続端子６２と、を相互に電気的に接続する。第２接続配線３２は、第３辺１３の近傍に配置された第３接続端子６３と、第４辺１４の近傍に配置された第４接続端子６４と、を相互に電気的に接続する。この構成により、複数の発光装置１０を基板間コネクタ、または基板間コネクタと同じ長さのケーブル付きコネクタからなる接続導体３により縦横に接続することができる。
【００７７】
また、陽極配線２１は、第１入力側端子４１と陽極（例えば第１電極端子１３１）とを相互に電気的に接続する第１陽極配線２１ａと、第３辺１３の近傍に配置された第２入力側端子４２と陽極とを相互に電気的に接続する第２陽極配線２１ｂと、を含む。陰極配線２２は、第１出力側端子５１と陰極（例えば第２電極端子１５１）とを相互に電気的に接続する第１陰極配線２２ａと、第４辺１４の近傍に配置された第２出力側端子５２と陰極とを相互に電気的に接続する第２陰極配線２２ｂと、を含む。これにより、例えば図４〜図６に示すように、複数の発光装置１０を基板間コネクタ、または基板間コネクタと同じ長さのケーブル付きコネクタからなる接続導体３により縦横に接続することができる。また、短絡部ＳＰ１でも各接続部ＣＰ２〜ＣＰ９におけるのと同等の長さの基板間コネクタまたはケーブル付きコネクタを用いて容易に短絡を行うことができる。よって、接続する発光装置１０の数やサイズに応じて長さが異なる配線を用意する必要がなくなるので、発光装置１０の設置が容易になる。また、外部電源３００と発光装置１０ａとの間の接続にも長尺な配線を用いる必要がなくなる（例えば、発光装置１０ａの一辺の長さよりも短い配線で接続することも可能である）。
【００７８】
また、第１接続配線３１と第２接続配線３２とが相互に電気的に接続されているので、短絡導体４を用いることなく、複数の発光装置１０を縦横の何れの方向にも接続することができる。
【００７９】
また、発光装置１０は平面視矩形状であるため、隣り合う発光装置１０どうしをなるべく隙間無く接続することができる。特に、発光装置１０が正方形状の場合、隣り合う発光装置１０を実質的に隙間無く接続することが可能である。
【実施例】
【００８０】
（実施例１）
図９は実施例１に係る発光装置８０の模式的な平面図である。本実施例に係る発光装置８０は、以下に説明する点で、上記の実施形態に係る発光装置１０と相違し、その他の点では、発光装置１０と同様に構成されている。
【００８１】
第１接続配線３１は、第１部分３１ａと第２部分３１ｂとを含んでいる。第１部分３１ａは、第１接続端子６１と第２接続端子６２とを相互に電気的に接続している。第２部分３１ｂは、第３辺１３の近傍に配置された第５接続端子６５と第１部分３１ａとを相互に電気的に接続している。
なお、陰極配線２２が、第１出力側端子５１と陰極（例えば第２電極１５０）とを相互に電気的に接続する第１陰極配線２２ａと、第４辺１４の近傍に配置された第２出力側端子５２と陰極とを相互に電気的に接続する第２陰極配線２２ｂと、を含む点は、上記の実施形態と同様である。
【００８２】
本実施例の場合、第１接続配線３１と第２接続配線３２とが相互に電気的に接続されていない。
【００８３】
本実施例の場合、陽極配線２１は、第２陽極配線２１ｂを有していない。本実施例における陽極配線２１は、上記実施形態における第１陽極配線２１ａと同様に、第１入力側端子４１と陽極（例えば第１電極１３０）とを相互に電気的に接続する部分からなる。
【００８４】
本実施例の場合、第３端子部７３は、第３接続端子６３と第５接続端子６５とを含み、第２入力側端子４２は含んでいない。
【００８５】
次に、本実施例に係る発光装置８０の接続例を説明する。図１０は実施例１に係る発光装置８０の接続例を示す模式的な平面図である。図１０の紙面において、左右方向（横方向）に直交する方向（縦方向）のうち、外部電源３００に近い側を便宜的に上と称し、外部電源３００から遠い側を便宜的に下と称する。
【００８６】
本接続例では、９つの発光装置８０を３行３列のマトリクス状に配置する。これら９つの発光装置８０は、電気的に直列に接続する。
【００８７】
以下の説明では、これら９つの発光装置８０を、電流の経路順に、それぞれ発光装置８０ａ、８０ｂ、８０ｃ、８０ｄ、８０ｅ、８０ｆ、８０ｇ、８０ｈ、８０ｉと称する。
【００８８】
外部電源３００の一方の端子は、電流供給配線１に接続され、他方の端子は電流戻り配線２に接続されている。
【００８９】
発光装置８０ａは、外部電源３００の下側に位置し、その第１端子部７１（図９）が上側、第２端子部７２（図９）が下側となるように配置されている。本実施例の場合、他の発光装置８０ｂ〜８０ｉも、発光装置８０ａと同じ向きに配置されている。
電流供給配線１および電流戻り配線２は、発光装置８０ａの第１端子部７１に対して接続部ＣＰ１にて電気的に接続されている。
すなわち、電流供給配線１は発光装置８０ａの第１入力側端子４１（図９）に接続され、電流戻り配線２は発光装置８０ａの第１接続端子６１（図９）に接続されている。
【００９０】
発光装置８０ｂは、発光装置８０ａの下側に配置されている。
発光装置８０ａの第２端子部７２（図９）と発光装置８０ｂの第１端子部７１（図９）とは接続部ＣＰ２にて相互に電気的に接続されている。
すなわち、発光装置８０ａの第１出力側端子５１（図９）と発光装置８０ｂの第１入力側端子４１（図９）とが接続導体３を介して相互に電気的に接続されている。また、発光装置８０ａの第２接続端子６２（図９）と発光装置８０ｂの第１接続端子６１（図９）とが接続導体３を介して相互に電気的に接続されている。
【００９１】
発光装置８０ｃは、発光装置８０ｂの下側に配置されている。
発光装置８０ｂの第２端子部７２（図９）と発光装置８０ｃの第１端子部７１（図９）とは接続部ＣＰ３にて相互に電気的に接続されている。
すなわち、発光装置８０ｂの第１出力側端子５１（図９）と発光装置８０ｃの第１入力側端子４１（図９）とが接続導体３を介して相互に電気的に接続され、発光装置８０ｂの第２接続端子６２（図９）と発光装置８０ｃの第１接続端子６１（図９）とが接続導体３を介して相互に電気的に接続されている。
【００９２】
発光装置８０ｆは、発光装置８０ｃの左側に配置されている。
発光装置８０ｃの第４端子部７４（図９）と発光装置８０ｆの第３端子部７３（図９）とは接続部ＣＰ４にて相互に電気的に接続されている。
すなわち、発光装置８０ｃの第２出力側端子５２（図９）と発光装置８０ｆの第５接続端子６５（図９）とが接続導体３を介して相互に電気的に接続されている。また、発光装置８０ｃの第４接続端子６４（図９）と発光装置８０ｆの第３接続端子６３（図９）とが接続導体３を介して相互に電気的に接続されている。
【００９３】
発光装置８０ｅは、発光装置８０ｆの上側に配置されている。
発光装置８０ｆの第１端子部７１（図９）と発光装置８０ｅの第２端子部７２（図９）とは接続部ＣＰ５にて相互に電気的に接続されている。
すなわち、発光装置８０ｆの第１入力側端子４１（図９）と発光装置８０ｅの第１出力側端子５１（図９）とが接続導体３を介して相互に電気的に接続されている。また、発光装置８０ｆの第１接続端子６１（図９）と発光装置８０ｅの第２接続端子６２（図９）とが接続導体３を介して相互に電気的に接続されている。
【００９４】
発光装置８０ｄは、発光装置８０ｅの上側に配置されている。
発光装置８０ｅの第１端子部７１（図９）と発光装置８０ｄの第２端子部７２（図９）とは接続部ＣＰ６にて相互に電気的に接続されている。
すなわち、発光装置８０ｅの第１入力側端子４１（図９）と発光装置８０ｄの第１出力側端子５１（図９）とが接続導体３を介して相互に電気的に接続されている。また、発光装置８０ｅの第１接続端子６１（図９）と発光装置８０ｄの第２接続端子６２（図９）とが接続導体３を介して相互に電気的に接続されている。
【００９５】
発光装置８０ｉは、発光装置８０ｆの左側に配置されている。
発光装置８０ｆの第４端子部７４（図９）と発光装置８０ｉの第３端子部７３（図９）とは接続部ＣＰ７にて相互に電気的に接続されている。
すなわち、発光装置８０ｆの第２出力側端子５２（図９）と発光装置８０ｉの第５接続端子６５（図９）とが接続導体３を介して相互に電気的に接続されている。また、発光装置８０ｆの第４接続端子６４（図９）と発光装置８０ｉの第３接続端子６３（図９）とが接続導体３を介して相互に電気的に接続されている。
【００９６】
発光装置８０ｈは、発光装置８０ｉの上側に配置されている。
発光装置８０ｉの第１端子部７１（図９）と発光装置８０ｈの第２端子部７２（図９）とは接続部ＣＰ８にて相互に電気的に接続されている。
すなわち、発光装置８０ｉの第１入力側端子４１（図９）と発光装置８０ｈの第１出力側端子５１（図９）とが接続導体３を介して相互に電気的に接続されている。また、発光装置８０ｉの第１接続端子６１（図９）と発光装置８０ｈの第２接続端子６２（図９）とが接続導体３を介して相互に電気的に接続されている。
【００９７】
発光装置８０ｇは、発光装置８０ｈの上側に配置されている。
発光装置８０ｈの第１端子部７１（図９）と発光装置８０ｇの第２端子部７２（図９）とは接続部ＣＰ９にて相互に電気的に接続されている。
すなわち、発光装置８０ｈの第１入力側端子４１（図９）と発光装置８０ｇの第１出力側端子５１（図９）とが接続導体３を介して相互に電気的に接続されている。また、発光装置８０ｈの第１接続端子６１（図９）と発光装置８０ｇの第２接続端子６２（図９）とが接続導体３を介して相互に電気的に接続されている。
【００９８】
更に、発光装置８０ｃの第３端子部７３（図９）の第５接続端子６５（図９）と第３接続端子６３（図９）とは短絡部ＳＰ１にて短絡導体４を介して短絡されている。
また、発光装置８０ｄの第１端子部７１（図９）の第１接続端子６１（図９）と第１入力側端子４１（図９）とは短絡部ＳＰ２にて短絡導体４を介して短絡されている。
また、発光装置８０ｇの第１端子部７１（図９）の第１接続端子６１（図９）と第１入力側端子４１（図９）とは短絡部ＳＰ３にて短絡導体４を介して短絡されている。
また、発光装置８０ｉの第４端子部７４（図９）の第４接続端子６４（図９）と第２出力側端子５２（図９）とは短絡部ＳＰ４にて短絡導体４を介して短絡されている。
【００９９】
こうして、各発光装置８０ａ〜８０ｉの発光素子１００が直列に且つループ状に接続されている。また、各発光装置８０ｆ、８０ｅ、８０ｄの第１接続配線３１により、各発光装置８０ｄ〜８０ｉに電流を供給するための電流供給配線が構成されている。また、各発光装置８０ｉ、８０ｈ、８０ｇの第１接続配線３１により、各発光装置８０ｇ〜８０ｉに電流を供給するための電流供給配線が構成されている。また、各発光装置８０ｉ、８０ｆ、８０ｃの第２接続配線３２と各発光装置８０ｃ、８０ｂ、８０ａの第１接続配線３１とにより、電流を外部電源３００へ戻すための戻り配線が構成されている。よって、外部電源３００から供給される電流により、各発光装置８０ａ〜８０ｉの発光素子１００を一括して発光させることができる。
【０１００】
本接続例の場合も、上記の実施形態と同様の効果が得られる。
更に、本接続例の場合、各発光装置８０ａ〜８０ｉの向きを揃えた状態で全ての発光装置８０ａ〜８０ｉを接続することができるので、設置作業がより容易となるとともに、各発光装置８０ａ〜８０ｉが正方形でなく長方形の場合も、隣り合う発光装置８０を隙間無く接続することができる。また、発光装置８０が正方形でない場合に、それらの向きが揃っていることにより、見栄えを良くすることができる。また、発光素子１００は発光素子１００内にどのように電流が流れるかによって輝度ムラが発生することがあるが、各発光装置８０ａ〜８０ｉの向きを揃えた状態で全ての発光装置８０ａ〜８０ｉを接続することにより、輝度ムラの方向も揃って見えるので、見栄えが良くなる。
【０１０１】
以上、本実施例によれば、第１接続配線３１は、第１接続端子６１と第２接続端子６２とを相互に電気的に接続する第１部分３１ａと、第３辺１３の近傍に配置された第５接続端子６５と第１部分３１ａとを相互に電気的に接続する第２部分３１ｂと、を含む。また、陰極配線２２は、第１出力側端子５１と陰極とを相互に電気的に接続する第１陰極配線２２ａと、第４辺１４の近傍に配置された第２出力側端子５２と陰極とを相互に電気的に接続する第２陰極配線２２ｂと、を含む。これにより、複数の発光装置８０を縦横に接続することができる。
【０１０２】
更に、第１接続配線３１と第２接続配線３２とが相互に電気的に接続されていない。これにより、各発光装置８０の向きを揃えた状態で、複数の発光装置８０を縦横に接続することができる。
【０１０３】
（実施例２）
図１１は実施例２に係る発光装置９０の模式的な平面図である。本実施例に係る発光装置９０は、以下に説明する点で、上記の実施形態に係る発光装置１０と相違し、その他の点では、発光装置１０と同様に構成されている。
【０１０４】
陽極配線２１が、第１入力側端子４１と陽極とを相互に電気的に接続する第１陽極配線２１ａと、第３辺１３の近傍に配置された第２入力側端子４２と陽極とを相互に電気的に接続する第２陽極配線２１ｂと、を含む点は、上記の実施形態と同じである。
本実施例の場合、第１接続配線３１は、第１接続端子６１と第２接続端子６２とを相互に電気的に接続する第１部分３１ａと、第４辺１４の近傍に配置された第５接続端子６５と第１部分３１ａとを相互に電気的に接続する第２部分３１ｂと、を含む。
【０１０５】
本実施例の場合、第１接続配線３１と第２接続配線３２とが相互に電気的に接続されていない。
【０１０６】
本実施例の場合、陰極配線２２は、第２陰極配線２２ｂを有していない。本実施例における陰極配線２２は、上記実施形態における第１陰極配線２２ａと同様に、第１出力側端子５１と陰極（例えば第２電極１５０）とを相互に電気的に接続する部分からなる。
【０１０７】
本実施例の場合、第４端子部７４は、第４接続端子６４と第５接続端子６５とを含み、第２出力側端子５２は含んでいない。
【０１０８】
次に、本実施例に係る発光装置９０の接続例を説明する。図１２は実施例２に係る発光装置９０の接続例を示す模式的な平面図である。図１２の紙面において、左右方向（横方向）に直交する方向（縦方向）のうち、外部電源３００に近い側を便宜的に下と称し、外部電源３００から遠い側を便宜的に上と称する。
【０１０９】
本接続例では、９つの発光装置９０を３行３列のマトリクス状に配置する。これら９つの発光装置９０は、電気的に直列に接続する。
【０１１０】
以下の説明では、これら９つの発光装置９０を、電流の経路順に、それぞれ発光装置９０ａ、９０ｂ、９０ｃ、９０ｄ、９０ｅ、９０ｆ、９０ｇ、９０ｈ、９０ｉと称する。
【０１１１】
外部電源３００の一方の端子は、電流供給配線１に接続され、他方の端子は電流戻り配線２に接続されている。
【０１１２】
発光装置９０ｉは、外部電源３００の上側に位置し、その第１端子部７１（図１１）が上側、第２端子部７２（図１１）が下側となるように配置されている。本実施例の場合、他の発光装置９０ａ〜９０ｈも、発光装置９０ｉと同じ向きに配置されている。
電流供給配線１および電流戻り配線２は、発光装置９０ｉの第２端子部７２に対して接続部ＣＰ１にて電気的に接続されている。
すなわち、電流供給配線１は発光装置９０ｉの第２接続端子６２（図１１）に接続され、電流戻り配線２は発光装置９０ｉの第２出力側端子５１（図１１）に接続されている。
【０１１３】
発光装置９０ｈは、発光装置９０ｉの上側に配置されている。
発光装置９０ｉの第１端子部７１（図１１）と発光装置９０ｈの第２端子部７２（図１１）とは接続部ＣＰ２にて相互に電気的に接続されている。
すなわち、発光装置９０ｉの第１接続端子６１（図１１）と発光装置９０ｈの第２接続端子６２（図１１）とが接続導体３を介して相互に電気的に接続されている。また、発光装置９０ｉの第１入力側端子４１（図１１）と発光装置９０ｈの第１出力側端子５１（図１１）とが接続導体３を介して相互に電気的に接続されている。
【０１１４】
発光装置９０ｇは、発光装置９０ｈの上側に配置されている。
発光装置９０ｈの第１端子部７１（図１１）と発光装置９０ｇの第２端子部７２（図１１）とは接続部ＣＰ３にて相互に電気的に接続されている。
すなわち、発光装置９０ｈの第１接続端子６１（図１１）と発光装置９０ｇの第２接続端子６２（図１１）とが接続導体３を介して相互に電気的に接続されている。また、発光装置９０ｈの第１入力側端子４１（図１１）と発光装置９０ｇの第１出力側端子５１（図１１）とが接続導体３を介して相互に電気的に接続されている。
【０１１５】
発光装置９０ｄは、発光装置９０ｇの右側に配置されている。
発光装置９０ｇの第３端子部７３（図１１）と発光装置９０ｄの第４端子部７４（図１１）とは接続部ＣＰ４にて相互に電気的に接続されている。
すなわち、発光装置９０ｇの第３接続端子６３（図１１）と発光装置９０ｄの第４接続端子６４（図１１）とが接続導体３を介して相互に電気的に接続されている。また、発光装置９０ｇの第２入力側端子４２（図１１）と発光装置９０ｄの第５接続端子６５（図１１）とが接続導体３を介して相互に電気的に接続されている。
【０１１６】
発光装置９０ｅは、発光装置９０ｄの下側に配置されている。
発光装置９０ｄの第２端子部７２（図１１）と発光装置９０ｅの第１端子部７１（図１１）とは接続部ＣＰ８にて相互に電気的に接続されている。
すなわち、発光装置９０ｄの第１出力側端子５１（図１１）と発光装置９０ｅの第１入力側端子４１（図１１）とが接続導体３を介して相互に電気的に接続され、発光装置９０ｄの第２接続端子６２（図１１）と発光装置９０ｅの第１接続端子６１（図１１）とが接続導体３を介して相互に電気的に接続されている。
【０１１７】
発光装置９０ｆは、発光装置９０ｅの下側に配置されている。
発光装置９０ｅの第２端子部７２（図１１）と発光装置９０ｆの第１端子部７１（図１１）とは接続部ＣＰ９にて相互に電気的に接続されている。
すなわち、発光装置９０ｅの第１出力側端子５１（図１１）と発光装置９０ｆの第１入力側端子４１（図１１）とが接続導体３を介して相互に電気的に接続され、発光装置９０ｅの第２接続端子６２（図１１）と発光装置９０ｆの第１接続端子６１（図１１）とが接続導体３を介して相互に電気的に接続されている。
【０１１８】
発光装置９０ａは、発光装置９０ｄの右側に配置されている。
発光装置９０ｄの第３端子部７３（図１１）と発光装置９０ａの第４端子部７４（図１１）とは接続部ＣＰ５にて相互に電気的に接続されている。
すなわち、発光装置９０ｄの第３接続端子６３（図１１）と発光装置９０ａの第４接続端子６４（図１１）とが接続導体３を介して相互に電気的に接続されている。また、発光装置９０ｄの第２入力側端子４２（図１１）と発光装置９０ａの第５接続端子６５（図１１）とが接続導体３を介して相互に電気的に接続されている。
【０１１９】
発光装置９０ｂは、発光装置９０ａの下側に配置されている。
発光装置９０ａの第２端子部７２（図１１）と発光装置９０ｂの第１端子部７１（図１１）とは接続部ＣＰ６にて相互に電気的に接続されている。
すなわち、発光装置９０ａの第１出力側端子５１（図１１）と発光装置９０ｂの第１入力側端子４１（図１１）とが接続導体３を介して相互に電気的に接続され、発光装置９０ａの第２接続端子６２（図１１）と発光装置９０ｂの第１接続端子６１（図１１）とが接続導体３を介して相互に電気的に接続されている。
【０１２０】
発光装置９０ｃは、発光装置９０ｂの下側に配置されている。
発光装置９０ｂの第２端子部７２（図１１）と発光装置９０ｃの第１端子部７１（図１１）とは接続部ＣＰ７にて相互に電気的に接続されている。
すなわち、発光装置９０ｂの第１出力側端子５１（図１１）と発光装置９０ｃの第１入力側端子４１（図１１）とが接続導体３を介して相互に電気的に接続され、発光装置９０ｂの第２接続端子６２（図１１）と発光装置９０ｃの第１接続端子６１（図１１）とが接続導体３を介して相互に電気的に接続されている。
【０１２１】
更に、発光装置９０ｇの第４端子部７４（図１１）の第４接続端子６４（図１１）と第５接続端子６５（図１１）とは短絡部ＳＰ１にて短絡導体４を介して短絡されている。
また、発光装置９０ａの第３端子部７３（図１１）の第３接続端子６３（図１１）と第２入力側端子４２（図１１）とは短絡部ＳＰ２にて短絡導体４を介して短絡されている。
また、発光装置９０ｃの第２端子部７２（図１１）の第１出力側端子５１（図１１）と第２接続端子６２（図１１）とは短絡部ＳＰ３にて短絡導体４を介して短絡されている。
また、発光装置９０ｆの第２端子部７２（図１１）の第１出力側端子５１（図１１）と第２接続端子６２（図１１）とは短絡部ＳＰ４にて短絡導体４を介して短絡されている。
【０１２２】
こうして、各発光装置９０ａ〜９０ｉの発光素子１００が直列に且つループ状に接続されている。また、各発光装置９０ｉ、９０ｈ、９０ｇの第１接続配線３１と、各発光装置９０ｇ、９０ｄ、９０ａの第２接続配線３２とにより、各発光装置９０ａ〜９０ｉに電流を供給するための電流供給配線が構成されている。また、各発光装置９０ｃ、９０ｂ、９０ａの第１接続配線３１により、各発光装置９０ｄ〜９０ｉに電流を供給するための電流供給配線が構成されている。また、各発光装置９０ｆ、９０ｅ、９０ｄの第１接続配線３１により、各発光装置９０ｇ〜９０ｉに電流を供給するための電流供給配線が構成されている。よって、外部電源３００から供給される電流により、各発光装置９０ａ〜９０ｉの発光素子１００を一括して発光させることができる。
【０１２３】
本接続例の場合も、上記の実施形態と同様の効果が得られる。
更に、本接続例の場合、実施例１と同様の効果も得られる。すなわち、各発光装置９０ａ〜９０ｉの向きを揃えた状態で全ての発光装置９０ａ〜９０ｉを接続することができるので、設置作業がより容易となるとともに、各発光装置９０ａ〜９０ｉが正方形でなく長方形の場合も、隣り合う発光装置９０を隙間無く接続することができる。また、発光装置９０が正方形でない場合に、それらの向きが揃っていることにより、見栄えを良くすることができる。また、発光素子１００は発光素子１００内にどのように電流が流れるかによって輝度ムラが発生することがあるが、各発光装置９０ａ〜９０ｉの向きを揃えた状態で全ての発光装置９０ａ〜９０ｉを接続することにより、輝度ムラの方向も揃って見えるので、見栄えが良くなる。
【０１２４】
以上、本実施例によれば、陽極配線２１は、第１入力側端子４１と陽極とを相互に電気的に接続する第１陽極配線２１ａと、第３辺１３の近傍に配置された第２入力側端子４２と陽極とを相互に電気的に接続する第２陽極配線２１ｂと、を含む。また、第１接続配線３１は、第１接続端子６１と第２接続端子６２とを相互に電気的に接続する第１部分３１ａと、第４辺１４の近傍に配置された第５接続端子６５と第１部分３１ａとを相互に電気的に接続する第２部分３１ｂと、を含む。これにより、複数の発光装置９０を縦横に接続することができる。
【０１２５】
更に、第１接続配線３１と第２接続配線３２とが相互に電気的に接続されていない。これにより、各発光装置９０の向きを揃えた状態で、複数の発光装置９０を縦横に接続することができる。
【０１２６】
以上、図面を参照して実施形態及び実施例について述べたが、これらは本発明の例示であり、上記以外の様々な構成を採用することもできる。
【０１２７】
例えば、上記においては、発光装置１０、８０、９０がそれぞれ平面視矩形状である例を説明したが、発光装置１０、８０、９０の平面形状は、八角形、十二角形等、互いに対向する第１辺および第２辺と、互いに対向する第３辺および第４辺とを有する矩形以外の多角形状であっても良い。
【０１２８】
また、上記においては、発光素子１００の基板が透光性基板１１０である例を説明したが、発光素子の基板は透光性でない基板であっても良い。なお、この場合、光取り出し面は、有機機能層１４０を基準として透光性基板１１０側とは反対側に形成されている。また第２電極１５０は透光性とする。例えば、第２電極１５０をＩＴＯやＩＺＯなどの金属酸化物導電体からなる透明電極とし、第１電極１３０をＡｇ、Ａｕ又はＡｌなどの金属膜からなる反射電極とすることができる。
【符号の説明】
【０１２９】
１０、１０ａ、１０ｂ、１０ｃ、１０ｄ、１０ｅ、１０ｆ、１０ｇ、１０ｈ、１０ｉ 発光装置
１１ 第１辺
１２ 第２辺
１３ 第３辺
１４ 第４辺
２１ 陽極配線
２１ａ 第１陽極配線
２１ｂ 第２陽極配線
２２ 陰極配線
２２ａ 第１陰極配線
２２ｂ 第２陰極配線
３１ 第１接続配線
３１ａ 第１部分
３１ｂ 第２部分
３２ 第２接続配線
４１ 第１入力側端子
４２ 第２入力側端子
５１ 第１出力側端子
５２ 第２出力側端子
６１ 第１接続端子
６２ 第２接続端子
６３ 第３接続端子
６４ 第４接続端子
６５ 第５接続端子
１３０ 第１電極（陽極）
１５０ 第２電極（陰極）
８０、８０ａ、８０ｂ、８０ｃ、８０ｄ、８０ｅ、８０ｆ、８０ｇ、８０ｈ、８０ｉ 発光装置
９０、９０ａ、９０ｂ、９０ｃ、９０ｄ、９０ｅ、９０ｆ、９０ｇ、９０ｈ、９０ｉ 発光装置
１００ 発光素子
２００ 駆動回路
【図１】
2014203573.tif 000003
【図２】
2014203573.tif 000004
【図３】
2014203573.tif 000005
【図４】
2014203573.tif 000006
【図５】
2014203573.tif 000007
【図６】
2014203573.tif 000008
【図７】
2014203573.tif 000009
【図８】
2014203573.tif 000010
【図９】
2014203573.tif 000011
【図１０】
2014203573.tif 000012
【図１１】
2014203573.tif 000013
【図１２】
2014203573.tif 000014